(57)【要約】【課題】逆止弁の逆流防止機能を必要に応じて簡単に解除する。【解決手段】弁体４をセグメント等の仕切り部材の外側に向かって開放可能に構成するのみならず、その弁体を内側に向かっても開放可能に構成し、弁体を内側に向かって開放させて逆流防止機能を解除するための解除機構を備える。弁体は、円形の板体の両側部に両面側に屈曲自在な可動片７を形成した構成とする。解除機構は、弁体の可動片の屈曲をそれぞれ拘束可能な対のストッパ５ａ、５ｂを、弁体の両面側に直交状態でかつ弁体に対して相対的に回転可能に設けた構成、あるいは弁体を収容する筒体の内面側に弁体の可動片の屈曲をそれぞれ拘束可能な対のストッパを弁体の両面側において突出させてその筒体を弁体の軸方向に相対的にスライド可能に設けた構成とする。【選択図】　　　図２
2004138114.tif 000002
【特許請求の範囲】
【請求項１】
仕切り部材に装着され、仕切り部材の内側から背後空間へ流体を移動させる際にその通過を許容するとともに、逆流を防止する逆止弁であって、この逆止弁を通して仕切り部材の背後空間から内側への流体の移動を可能とするべく、弁体を仕切り部材の外側に向かって開放可能に構成するのみならず内側に向かっても開放可能に構成し、その弁体を内側に向かって開放させて逆流防止機能を解除するための解除機構を備えたことを特徴とする逆止弁。
【請求項２】
請求項１記載の逆止弁であって、弁体は円形の板体の両側部に両面側に屈曲自在な可動片を形成した構成とされ、解除機構は、弁体の可動片の屈曲をそれぞれ拘束可能な対のストッパを、弁体の両面側に直交状態でかつ弁体に対して相対的に回転可能に設けた構成とされていることを特徴とする逆止弁。
【請求項３】
請求項１記載の逆止弁であって、弁体は円形の板体の両側部に両面側に屈曲自在な可動片を形成した構成とされ、解除機構は、弁体を収容する筒体の内面側に弁体の可動片の屈曲をそれぞれ拘束可能な対のストッパを弁体の両面側において突出させ、その筒体を弁体の軸方向に相対的にスライド可能に設けた構成とされていることを特徴とする逆止弁。
【発明の詳細な説明】
【０００１】
【発明の属する技術分野】
本発明は、主にセグメントに形成されているグラウトホールに装着される逆止弁に関する。
【０００２】
【従来の技術】
周知のように、シールド工法において一次覆工として組み立てられるセグメントには、その外側（背後空間）に裏込め材等の充填材を注入充填するためのグラウトホールが形成されており、そのグラウトホールには充填材注入時の逆流を防止するための逆止弁が装着されることが通常である。
【０００３】
この種の逆止弁としては、たとえば特開２０００−５４７９３号公報に示されるように、円板状の弁体の両側部をヒンジスリットにより回動可能として、セグメントの内側から背後空間側への充填材の通過は許容するが逆流は阻止する構成のものが知られている。
【０００４】
【特許文献１】
特開２０００−５４７９３号公報
【０００５】
【発明が解決しようとする課題】
ところで、最近のシールド工法においては、裏込め材を充填するまでの間における地山保持を目的として、セグメントの背後空間に流動性を有する地山保持材を一時的に充填しておくという工法、すなわち、たとえば急旋回部や断面変更部等において余掘りを行った場合には、セグメントの組み立て直後に地山充填材をグラウトホールを通して余掘り部に充填しておき、最終的にその地山保持材を回収して裏込め材に置換するという工法が検討されている。
【０００６】
そのような工法においては、裏込め材の注入充填に際しての地山保持材の回収をグラウトホールを通して行うことができれば好都合であるが、グラウトホールには上記のような逆流を防止するための逆止弁が装着されていることから、グラウトホールを通しての地山保持材の回収は不可能であり、それを可能とするため有効な改善策が必要とされていた。
【０００７】
上記事情に鑑み、本発明はたとえばセグメント等の仕切り部材に装着する逆止弁として、地山保持材等の流体を仕切り部材の背後空間から内側に移動させる場合においては、必要に応じて逆流防止機能を簡単に解除することが可能な機能を備えた有効な逆止弁を提供することを目的とする。
【０００８】
【課題を解決するための手段】
請求項１の発明は、セグメント等の仕切り部材に装着され、その仕切り部材の内側から背後空間へ充填材等の流体を移動させる際にその通過を許容するとともに、逆流を防止する逆止弁であって、この逆止弁を通して仕切り部材の背後空間から内側への流体の移動を可能とするべく、弁体を仕切り部材の外側に向かって開放可能に構成するのみならず内側に向かっても開放可能に構成し、その弁体を内側に向かって開放させて逆流防止機能を解除するための解除機構を備えたことを特徴とする。
【０００９】
請求項２の発明は、請求項１の発明の逆止弁であって、弁体は円形の板体の両側部に両面側に屈曲自在な可動片を形成した構成とされ、解除機構は、弁体の可動片の屈曲をそれぞれ拘束可能な対のストッパを、弁体の両面側に直交状態でかつ弁体に対して相対的に回転可能に設けた構成とされていることを特徴とする。
【００１０】
請求項３の発明は、請求項１の発明の逆止弁であって、弁体は円形の板体の両側部に両面側に屈曲自在な可動片を形成した構成とされ、解除機構は、弁体を収容する筒体の内面側に弁体の可動片の屈曲をそれぞれ拘束可能な対のストッパを弁体の両面側において突出させ、その筒体を弁体の軸方向に相対的にスライド可能に設けた構成とされていることを特徴とする。
【００１１】
【発明の実施の形態】
本発明の逆止弁をセグメントに適用した場合の第１実施形態を図１〜図４を参照して説明する。図１および図２は本第１実施形態の逆止弁１の概略構成を示すものであって、図１は通常時の状態、図２は逆流防止機能を解除した状態を示すものである。また、図３および図４はその逆止弁１をセグメント（仕切り部材）１１のグラウトホール２に装着した状態を示すもので、図３は通常時の状態（充填材を注入充填している状態）、図４は逆流防止機能を解除した状態（充填材を排出している状態）を示すものである。
【００１２】
この逆止弁１は、筒体３の内部に、弁体４と、その弁体４の作動を規制して逆流防止機能を発揮させるとともにそれを解除するための解除機構としての対のストッパ５ａ、５ｂとを組み込んだ構成とされている。
【００１３】
弁体４は円形の板体であり、その両側部はヒンジ６により両面側（図において上面側および下面側）に屈曲自在な可動片７として形成され、それら可動片７の間は弁体４の直径に沿う帯状の支持部８とされている。この弁体４の中心には軸体９が上下に貫通して設けられ、軸体９の一端にはたとえば後述の操作ロッド１４を係合させるための係合突起１０が形成されている。
【００１４】
対のストッパ５ａ、５ｂはいずれも矩形断面の棒状のもので、それらストッパ５ａ、５ｂは互いに直交する状態で弁体４の上下に配置され、それらの両端がそれぞれ筒体３の内面に対して固定されている。そして、それらストッパ５ａ、５ｂの中心位置に対して弁体４の軸体９が回転自在に支持されている。すなわち、弁体４は上下のストッパ５ａ、５ｂの間において軸体９を中心に回転自在に保持されていて、その支持部８が図１に示すように上側のストッパ５ａに重なる位置と、図２に示すように下側のストッパ５ｂに重なる位置の２位置を取り得るように、少なくとも９０度の範囲で回転可能とされている。
【００１５】
上記構成の逆止弁１は、図３に示すように従来一般の逆止弁と同様にセグメント１１のグラウトホール２内に螺着されて装着され、通常時は適宜のバルブ機構１２を介して裏込め材や地山保持材等の充填材（流体）をこの逆止弁１を通してセグメント１１の背後空間１３に充填することができ、かつその逆流を防止できるものである。すなわち、通常時においては、図１および図３に示すように、弁体４の支持部８を上側のストッパ５ａに重なる位置としておくことにより、図１（ｂ）に示すように充填材の注入圧により弁体４の可動片７が上方（セグメント１１の背後空間１３側）に自由に屈曲して充填材の通過を支障なく許容するが、逆流が生じる状況となった際には図１（ａ）に示すように可動片７が下側のストッパ５ｂに突き当たってそれ以上の下方への屈曲が拘束され、それにより逆流が自ずと防止されることになる。つまり、この状態では従来一般の逆止弁と全く同様に機能するものである。
【００１６】
そして、上記の逆止弁１は、上記の通常時の状態から弁体４を９０度回転させることのみで、逆流防止機能を解除してこの逆止弁１を通してセグメント１１の背後空間１３から充填材を排出し回収することも可能なものである。すなわち、弁体４を図１の状態から図２に状態となるまで９０度回転させて、弁体４の支持部８を下側のストッパ５ｂに重なるようにすると、可動片７は下側のストッパ５ｂから外れて（ｂ）に示すように下方への屈曲が許容されて逆流防止機能が解除され、同時に上方への屈曲はストッパ５ａにより拘束されることになり、この状態では図４に示すようにセグメント１１の背後空間１３に充填されている地山保持材等の充填材をこの逆止弁１を通して支障なく排出ないし回収することができることになる。勿論、そのように逆流防止機能を解除した後に、弁体４を元の状態に復帰させれば、再び通常の逆止弁として機能するものとなる。
【００１７】
なお、弁体４を回転させるための操作は、たとえば上記のバルブ機構１２に操作ロッド１４を組み込んでおき、図４に示すようにその操作ロッド１４の先端部を弁体４の軸体９に設けた係合突起１０に係合させて回転させることで容易に行うことができる。具体的には、バルブ機構１２に組み込まれているバルブを開き、操作ロッド１４を逆止弁１内に挿入して弁体４を回転させた後、操作ロッド１４を引き抜いてバルブを閉じ、操作ロッド１４に代えて排出ホースをバルブ機構１２に接続し、バルブを開いて充填材を排出ホースを通して排出すれば良い。なお、係合突起１０は非円形であれば良いし、あるいは係合突起１０に代えて係合凹部や係合穴を設けておいても良い。
【００１８】
また、上記第１実施形態では、対のストッパ５ａ、５ｂ間に弁体４を回転可能に保持し、弁体４をそれらストッパ５ａ、５ｂに対して回転させる構成としたが、弁体４とストッパ５ａ、５ｂとは相対的に回転可能であれば良く、弁体４を固定しておいてその弁体４に対してストッパ５ａ、５ｂを回転可能に構成しても同様に機能するものとなる。
【００１９】
次に、本発明の逆止弁をセグメントに適用した場合の第２実施形態を図５〜図７を参照して説明する。図５は本第２実施形態の逆止弁２１の概略構成図、図６〜図７はそれをセグメント１１のグラウトホール２に装着した状態を示すもので、図６は通常時の状態（充填材を注入充填している状態）、図７は逆流防止機能を解除した状態（充填材を排出している状態）を示すものである。
【００２０】
この逆止弁２１は、第１実施形態のものと同様に両側部がヒンジ６により可動片７とされ、それらの間が支持部８とされた弁体４を、軸体９および取付部材２２を介してグラウトホール２内に固定しておき、かつ解除機構としての筒体２３をグラウトホール２内に螺着して弁体４に対して上下方向に移動可能としたものである。筒体２３内の上部および下部にはそれぞれ環状のストッパ２４ａ、２４ｂが突出しており、筒体２３の最下部にはこの筒体２３を回転させてグラウトホール２に対して螺子込むことで弁体４に対して上下方向にスライドさせるための係合突起２５（あるいは係合凹部や係合穴）が設けられている。
【００２１】
本第２実施形態の逆止弁２１は、通常時は図５（ａ）および図６に示すように下側のストッパ２４ｂにより弁体４の可動片７の下方への屈曲を拘束し、上側のストッパ２４ａを弁体４の上方に退避させた状態で使用される。この状態では、充填材の注入充填に際しては可動片７が自ずと上方に屈曲して充填材の通過を支障なく許容するが、逆流が生じる状況となった際には可動片７が下側のストッパ２４ｂに突き当たってそれ以上の下方への屈曲が拘束され、それにより逆流が自ずと防止されることになる。つまり、この状態では従来一般の逆止弁と全く同様に機能するものである。
【００２２】
その状態から、筒体２３を回転させて図５（ｂ）および図７に示すように弁体４に対して下方に移動させ、下側のストッパ２４ｂを下方に退避させて可動片７の下方への屈曲を許容するものとすれば、同時に可動片７の上方への屈曲は上側のストッパ２４ａにより拘束される状態となり、この状態では逆流防止機能が解除されてグラウトホール２を通しての充填材の排出ないし回収を支障なく行うことができる。勿論、筒体２３を上昇させて元の状態に復帰させれば再び通常の逆止弁として機能するものとなる。
【００２３】
なお、筒体２３は弁体４の軸方向に移動して２位置で固定できるものであれば良いから、筒体２３をグラウトホール２に対して螺子込むことに代えて単にスライドさせる構成とすることも可能である。また、筒体２３と弁体４とはそれらの位置が相対的に変位可能であれば良いから、筒体２３をグラウトホール２に対して固定しておいてその内側において弁体４を軸方向に移動させて２位置で固定するように構成しても良い。
【００２４】
以上で本発明の実施形態を説明したが、本発明の逆止弁はセグメントのグラウトホールに装着するのみならず、必要に応じて逆流防止機能を簡単に解除する必要がある場合全般に広く適用できるものであるし、目的や用途に応じて適宜の設計的変更が可能であることはいうまでもない。
【００２５】
【発明の効果】
請求項１の発明の逆止弁は、弁体を仕切り部材の外側に向かってのみならず内側に向かっても開放可能に構成し、その弁体を内側に開放させて逆流防止機能を解除するための解除機構を備えたから、通常の逆止弁として機能するばかりでなく、必要に応じて解除機構を操作することのみで仕切り部材の背後空間から内側へ充填材を移動させることが可能である。したがって本発明の逆止弁は、たとえば地山充填材をセグメントの背後空間からグラウトホールを通して回収するようなシールド工法の実施に際してセグメントのグラウトホールに装着するものとして好適である。
【００２６】
請求項２の発明は、両面側に屈曲可能な可動片を有する弁体を採用し、その弁体の両面側に対のストッパを直交状態で弁体に対して相対的に回転可能に設けた構成の解除機構を採用したので、極めて簡単な構造でかつ極めて簡単な操作で逆流防止機能を容易にかつ確実に解除することができる。
【００２７】
請求項３の発明は、両面側に屈曲可能な可動片を有する弁体を採用し、その弁体を収容する筒体の内面側に対のストッパを弁体の両面側において突出させ、その筒体を弁体の軸方向に相対的にスライド可能に設けた構成の解除機構を採用したので、極めて簡単な構造でかつ極めて簡単な操作で逆流防止機能を容易にかつ確実に解除することができる。
【図面の簡単な説明】
【図１】本発明の第１実施形態である逆止弁の概略構成と通常時の作動状態を示す図である。
【図２】同、逆流防止機能を解除した状態を示す図である。
【図３】同、グラウトホールに組み込んだ状態での通常時の作動状態をを示す図である。
【図４】同、グラウトホールに組み込んだ状態での逆流防止機能を解除した状態を示す図である。
【図５】本発明の第２実施形態である逆止弁の概略構成と作動状態を示す図である。
【図６】同、グラウトホールに組み込んだ状態での通常時の作動状態をを示す正面図である。
【図７】同、グラウトホールに組み込んだ状態での逆流防止機能を解除した状態を示す正面図である。
【符号の説明】
１　逆止弁
２　グラウトホール
３　筒体
４　弁体
５ａ、５ｂ　ストッパ（解除機構）
６　ヒンジ
７　可動片
８　支持部
９　軸体
１０　係合突起
１１　セグメント（仕切り部材）
１２　バルブ機構
１３　背後空間
２１　逆止弁
２２　取付部材
２３　筒体（解除機構）
２４ａ、２４ｂ　ストッパ
２５　係合突起
【図１】
2004138114.tif 000003
【図２】
2004138114.tif 000004
【図３】
2004138114.tif 000005
【図４】
2004138114.tif 000006
【図５】
2004138114.tif 000007
【図６】
2004138114.tif 000008
【図７】
2004138114.tif 000009